(57)【要約】      （修正有）【課題】低コストで簡単に、人体に共鳴吸収される遠赤外線による波動空間を生成することができる波動空間生成装置を提供する。【解決手段】液体の温度を一定に制御し、パイプを通して循環させる温度コントロールユニットと、人体共鳴吸収領域の波長４〜１２μｍにおける放射率が９０％以上の波動石（角閃石）を原料とする遠赤外線放射物質を含む材料で表面を形成した遠赤外線発生パネル及び遠赤外線共鳴プレートとを備え、少なくとも一部が遠赤外線発生パネルと遠赤外線共鳴プレートにより囲まれた空間を構成する。【選択図】図１
0003163747.tif 000002
【実用新案登録請求の範囲】
【請求項１】
媒体液の温度を所定温度に制御して循環させる温度コントロールユニットと、
所定温度に制御された前記媒体液を循環させるパイプを内部に備え、人体共鳴吸収領域の波長における放射率が所定値以上の波動石を原料とした遠赤外線放射物質を含む材料で表面を形成した遠赤外線発生パネルと、
前記人体共鳴吸収領域の波長における放射率が所定値以上の波動石を原料とした遠赤外線放射物質を含む材料で表面を形成した遠赤外線共鳴プレートと、
を備え、
少なくとも一部が前記遠赤外線発生パネルと前記遠赤外線共鳴プレートにより囲まれた空間を構成し、前記人体共鳴吸収領域の波長における遠赤外線が効率よく放射される波動空間とすることを特徴とする波動空間生成装置。
【請求項２】
請求項１記載の波動空間生成装置に於いて、
前記遠赤外線発生パネルおよび遠赤外線共鳴プレートは、前記人体共鳴吸収領域の波長４〜１２μｍにおける放射率が９０％以上の波動石を原料とした遠赤外線放射物質を含む材料で表面を形成したことを特徴とする波動空間生成装置。
【請求項３】
請求項１記載の波動空間生成装置に於いて、
前記遠赤外線発生パネルは、パイプを屈曲させて平面的に形成した面を、熱伝導率が２００Ｗ／（ｍ・Ｋ）以上の材料で覆い、表面に波動石を原料とした遠赤外線放射物質を含む皮膜を形成したことを特徴とする波動空間生成装置。
【請求項４】
請求項３記載の波動空間生成装置に於いて、
熱伝導率が２００Ｗ／（ｍ・Ｋ）以上の前記材料は、アルミニウムであることを特徴とする波動空間生成装置。
【請求項５】
請求項１記載の波動空間生成装置に於いて、
前記遠赤外線発生パネルは、パイプを屈曲させて平面的に形成した面を、熱伝導率が３Ｗ／（ｍ・Ｋ）以下の材料で覆い、表面に波動石を原料とした遠赤外線放射物を含む物質を含む皮膜を形成したことを特徴とする波動空間生成装置。
【請求項６】
請求項５記載の波動空間生成装置に於いて、
熱伝導率が３Ｗ／（ｍ・Ｋ）以下の前記材料は、コンクリートであり、前記コンクリートに波動石を原料とした遠赤外線放射物質を含んでいることを特徴とする波動空間生成装置。
【請求項７】
請求項１記載の波動空間生成装置に於いて、
前記遠赤外線発生パネルは、枠体内に前記パイプを屈曲させて平面的な面を形成し、前記面をワイヤーメッシュで覆い、前記ワイヤーメッシュの全面に、波動石を原料とした遠赤外線放射物質を含むモルタルを吹き付けて覆ったことを特徴とする波動空間生成装置。
【請求項８】
請求項１記載の波動空間生成装置に於いて、
前記遠赤外線共鳴プレートは、室内の内壁面表面に一体で構成されていることを特徴とする波動空間生成装置。
【請求項９】
請求項１記載の波動空間生成装置に於いて、
前記遠赤外線共鳴プレートは、アルミニウムを基材とし、アルミニウム表面に波動石を原料とした遠赤外線放射物を含む皮膜を形成したことを特徴とする波動空間生成装置。
【請求項１０】
請求項１記載の波動空間生成装置に於いて、
前記遠赤外線共鳴プレートは、和紙を基材とし、和紙表面に波動石を原料とした遠赤外線放射物を含む皮膜を形成したことを特徴とする波動空間生成装置。
【請求項１１】
請求項１記載の波動空間生成装置に於いて、
前記遠赤外線共鳴プレートは、枠体内にワイヤーメッシュを張り、前記ワイヤーメッシュの全面に、波動石を原料とした遠赤外線放射物質を含むモルタルで覆ったことを特徴とする波動空間生成装置。
【請求項１２】
請求項１記載の波動空間生成装置に於いて、
前記液体は、不凍液であることを特徴とする波動空間生成装置。
【請求項１３】
請求項１記載の波動空間生成装置に於いて、
温度コントロールユニットは、太陽熱を利用して媒体液を加熱していることを特徴とする波動空間生成装置。
【請求項１４】
請求項１乃至１１のいずれかに記載の波動空間生成装置に於いて、前記波動石は角閃石であることを特徴とする波動空間生成装置。
【考案の詳細な説明】
【技術分野】
【０００１】
本考案は、波動石（角閃石）を原料とした遠赤外線放射物質を利用することにより、人間や動植物に好適な遠赤外線を効率よく放射して、家庭、ホテル個室、医療施設などの居住空間を手軽に快適な空間とすることができる波動空間生成装置に関する。
【背景技術】
【０００２】
遠赤外線は、波長が３μｍ〜１０００μｍの電磁波であり、絶対零度の環境下でない限り全ての物質で遠赤外線が放射され、温度と共にその放射エネルギーが高くなる。温度が同じならば、物質によって放射エネルギーは大きく変わる。
【０００３】
放射された遠赤外線は、空間を直進して物質表面に当たるが、このとき物質を構成する分子の振動を励起する。動植物における分子の振動は、４〜１２μｍの波長であり、人体に遠赤外線が放射された場合は、皮膚の表面から２００μｍ程度の深さでほとんどが吸収されるが、皮膚の内部で分子運動と共鳴し、分子の振動を促し細胞の活性化効果を生じ、熱反応で皮膚の内部の温度が上昇する。
【０００４】
遠赤外線効果の有無は、人間の温度感覚の発現を基に考えることができ、熱刺激としての放射加熱はエネルギーの伝達が早いため、人間の動的温度感覚を刺激し易いのが特徴である。
【０００５】
このため、暖房システムに於いては加熱源に遠赤外線放射装置を併設して暖房効果を高めている。例えば、絶縁体よりなる芯板に電熱ヒーターを巻回して電熱板を形成し、電熱板を絶縁板で挟持して発熱体を形成し、金属板の裏面に発熱体を取り付けると共に、金属板の表面に加熱により遠赤外線を放射するセラミックを塗装してなる遠赤外線パネルヒータがある（特許文献１参照）。
【０００６】
遠赤外線を気浴に利用して、健康増進を図った装置としては、一般に遠赤外線岩盤浴として知られている装置がある。遠赤外線岩盤浴は、遠赤外線を放射する天然鉱石板や陶器板を敷き詰めた寝台を、ヒーターにより４５〜５０℃程度に加熱し、放射される遠赤外線の作用によって体内からサウナ以上の発汗作用を得る健康法の一種である（特許文献２、３参照）。
【０００７】
室内暖房用に利用した例としては内壁に遠赤外線発生部材を設ける提案がある。これは、居住空間の囲み枠材であるコンクリート材内部に直接組み入れた発熱体、あるいはコンクリート材の躯体を構成する鉄筋に発熱体を接触させた熱伝導体を利用してコンクリート素材を放熱体とし、さらに外壁全体を断熱材で覆い、居住空間の囲み枠材であるコンクリート材内面には、一部および全面にセラミックコーティング塗料を塗った内面材を張ることによって遠赤外線を輻射させる現象を利用している（特許文献４参照）。
【０００８】
さらに、石材や無機材料粒子等が有する遠赤外線の放射および吸収の性質を利用して、室内を快適な環境に調整する室内環境調整システムの提案もある。室内環境調整システムは、遠赤外線を放射・吸収し遠赤外線の放射率が０．６以上である遠赤外線放射物質を含む材料で構成された室内面構成部材と、室内面構成部材の遠赤外線放射物質と同一の遠赤外線放射物質を含む材料で構成された冷却・加熱面を有する冷却・加熱源とを具備し、冷却源の冷却面が冷却されると、その冷却面の遠赤外線放射物質が室内面構成部材の遠赤外線放射物質が放射する遠赤外線を吸収し、加熱源の加熱面が加熱されると、その加熱面の遠赤外線放射物質が放射する遠赤外線を室内面構成部材の遠赤外線放射物質が吸収するシステムである（特許文献５参照）。
【先行技術文献】
【特許文献】
【０００９】
【特許文献１】特開２００７−３３３２５０号公報
【特許文献２】特開２００８−２００６２９号公報
【特許文献３】特開２００７−２０２９２５号公報
【特許文献４】特開２００２−２２０８８８号公報
【特許文献５】特開２０１０−９５９９３号公報
【考案の概要】
【考案が解決しようとする課題】
【００１０】
遠赤外線の放射が人間に共鳴吸収することにより細胞を活性化して代謝を促進するため、健康に良いとされている。このため、遠赤外線の放射されている空間に居ることが必要であるが、暖房用のヒーターや内壁に遠赤外線発生部材を設けた暖房システムでは暖房時しか遠赤外線の放射を受けることができない。
【００１１】
遠赤外線岩盤浴は、電気ヒーターにより遠赤外線の放射量が多いいわゆる波動石などを暖める波動浴として利用されていることも多く、遠赤外線の作用により体は温められるが、４５〜５０℃の高温に加熱するため、高温環境下にいることの身体的負担が大きく、約１０分といった時間制限が必要となる。
【００１２】
これに対して、特許文献５においてで室内環境調整システムとして開示されている冷暖房システムは、遠赤外線の放射吸収を利用して、気流を生成しないでエネルギー効率よく室内の垂直方向の温度分布の差を小さくして室内環境調整を行っているため、遠赤外線の放射は常に行われている。しかしながら、遠赤外線を室内の垂直方向の温度差解消を目的として輻射熱を利用しているため、遠赤外線放射エネルギーを大量に必要とし、システムが複雑でコストが高い問題がある。即ち、室内面構成部材を遠赤外線放射物質で構成しているが、人間の居住する住宅においては壁面、天井面や床面としており、そのためには遠赤外線放射物質で構成した室内面としなければならず、高放射エネルギーを放射する構造とするためのコストが高くなる。
【００１３】
また、遠赤外線放射物質の放射率が０．６以上、好ましくは０．８以上の遠赤外線放射物質としているが、遠赤外線領域トータルでの放射率である。これは、遠赤外線を室内の垂直方向の温度差解消に使用しているためである。人体に対する放射を目的としているのであれば波長が４〜１２μｍの帯域を考慮すれば十分である。
【００１４】
さらに、室内面構成部材と冷却源、加熱源の遠赤外線放射物質とは同一の物質を有しなければならず、同一の物資とは、「同一分子種」であり、同じ原産地から切り出された鉱物は、実質的に全体的に「同一分子種の鉱物」としている。
【００１５】
このよう厳格な限定をするのは、遠赤外線を室内の垂直方向の温度差解消に使用していることから発生する要件であり、室内環境調整システムは、同一分子種間における熱放射を介した熱移動が、同一分子種間でない場合に比較して高い効率で行われる現象を利用して、室内面構成部材と冷却及び／又は加熱源の冷却及び／又は加熱面との間で熱放射を介し熱移動を高い効率で行わせることにより、室内環境の調整を実現するものだからである。
【００１６】
このために、例えば面積の広い室内構成部材に用いる遠赤外線放射物質をコストの低い他の遠赤外線放射物質とすることができないばかりか、装飾機能をも兼備する室内面へは単に遠赤外線放射物質を形成するだけに留まらないため、高価なシステムとなっている。
【００１７】
本考案は、波動石（角閃石）を原料とした遠赤外線放射物質を利用することにより、低コストで簡単に、人体に共鳴吸収される遠赤外線による波動空間を生成することができる装置を提供することを目的とする。
【課題を解決するための手段】
【００１８】
この目的を達成するため本考案は次のように構成する。
【００１９】
本考案は、波動空間生成装置において、液体の温度を一定に制御し、パイプを通して循環させる温度コントロールユニットと、一定温度に制御された液体を循環させるパイプを内部に備え、人体共鳴吸収領域の波長における放射率が所定値以上の波動石（角閃石）を原料とした遠赤外線放射物質を含む材料で表面を形成した遠赤外線発生パネルと、人体共鳴吸収領域の波長における放射率が所定値以上の波動石（角閃石）を原料とした遠赤外線放射物質を含む材料で表面を形成した遠赤外線共鳴プレートとを備え、少なくとも一部が遠赤外線発生パネルと遠赤外線共鳴プレートにより囲まれた空間を構成し、人体共鳴吸収領域おける遠赤外線が効率よく放射される波動空間とすることを特徴とする。
【００２０】
ここで、遠赤外線発生パネルおよび遠赤外線共鳴プレートは、人体共鳴吸収領域の波長４〜１５μｍにおける放射率が９０％以上の波動石（角閃石）を原料とした遠赤外線放射物質を含む材料で表面を形成する。
【００２１】
遠赤外線発生パネルは、内部を通っている液体の温度を伝えやすくするために、パイプを屈曲させて平面的に形成した面を、熱伝導率が２００Ｗ／（ｍ・Ｋ）以上の材料で覆い、表面に波動石（角閃石）を原料とした遠赤外線放射物を含む物質を含む皮膜を形成した。熱伝導率が２００Ｗ／（ｍ・Ｋ）以上の材料としてはアルミニウムがある。
【００２２】
また、遠赤外線発生パネルでの蓄熱効果を優先させる環境では、熱伝導率が３Ｗ／（ｍ・Ｋ）以下の材料を覆い、表面に波動石（角閃石）を原料とした遠赤外線放射物質を含む皮膜を形成した。熱伝導率が３Ｗ／（ｍ・Ｋ）以下の材料としてはコンクリートがある。この場合、コンクリートに波動石（角閃石）を原料とした遠赤外線放射物質を含ませることにより、遠赤外線放射面を含んでいる。
【００２３】
遠赤外線共鳴プレートは、室内の内壁面に波動石（角閃石）を原料とした遠赤外線放射物質を含んだ物質で一体的に構成しても、アルミニウムを基材として、遠赤外線物質を表面に形成して単独構成としてもよい。低コストで簡易な遠赤外線共鳴プレートとしては、和紙を基材としてもよい。
【００２４】
また、遠赤外線共鳴プレートは、枠体内にワイヤーメッシュを張り、ワイヤーメッシュの全面に、波動石（角閃石）を原料とした遠赤外線放射物質を含むモルタルを吹き付けて覆った構造とすることができる。
【００２５】
温度コントロールユニットに循環させる液体を不凍液として、冬季に温度コントロールユニットを屋外に設置している場合に、液体の凍結を防止することができる。
【００２６】
温度コントロールユニットは、太陽熱を利用して液体を加熱し、省エネルギー化することができる。
【考案の効果】
【００２７】
本考案によれば、波動石（角閃石）を原料とした遠赤外線放射物質を利用することにより、低コストで簡易に波長が人体共鳴吸収領域である４〜１２μｍ帯における遠赤外線が放射するエネルギーを受けることができる波動空間を実現することができ、室温環境で常時利用可能である。
【００２８】
遠赤外線を放射する遠赤外線発生パネルは、液体で一定温度にコントロールされるため、遠赤外線放射率の高い波動石（角閃石）を原料とした遠赤外線放射物質で形成される表面から効率よく遠赤外線が放射される。
【００２９】
遠赤外線共鳴プレートは簡易な構造であり、空間に自由に設置でき、遠赤外線発生パネルとの組み合わせにより柔軟性にとんだ構造の空間を形成できる。
【００３０】
本考案による波動空間では、室温環境において動植物に好適な波長帯での遠赤外線を受けることができるので、人間の健康や植物の生育に好影響を与え、精神的な癒しや安らぎを得ることができる効果がある。
【図面の簡単な説明】
【００３１】
【図１】本考案による波動空間生成装置の全体構成の説明図
【図２】本考案による他の波動空間生成装置の全体構成の説明図
【図３】アルミニウム板を用いた遠赤外線発生パネルの実施形態を示した説明図
【図４】コンクリートを用いた遠赤外線発生パネルの他の実施形態を示した説明図
【図５】波動石混入モルタルによる遠赤外線発生パネルの他の実施形態を示した説明図
【図６】アルミニウム板を用いた遠赤外線共鳴プレートの実施形態を示した説明図
【図７】コンクリートを用いた遠赤外線共鳴プレートの他の実施形態を示した説明図
【図８】波動石混入モルタルによる遠赤外線共鳴プレートの他の実施形態を示した説明図
【図９】温度コントロールユニットの実施形態を示した説明図
【図１０】太陽熱を利用した温度コントロールユニットの他の実施形態を示した説明図
【図１１】本考案による波動空間における共鳴作用を説明する図
【考案を実施するための形態】
【００３２】
図１は本考案による波動空間生成装置の全体構成の説明図である。図１において、本考案の波動空間生成装置１０は、遠赤外線発生パネル１２と複数の遠赤外線共鳴プレート１４を組み合わせて遠赤外線の共振空間を構成している。遠赤外線発生パネル１２には、パネル内部にパイプを通して、パネル温度を所定温度とする媒体液が循環している。循環媒体液は、供給パイプ７６により遠赤外線発生パネル１２に供給される。遠赤外線発生パネル１２内を循環した媒体液は、還流パイプ７８により、温度コントロールユニット１２に還流される。
【００３３】
媒体液温度は、温度コントロールユニット７０で、遠赤外線発生パネル１２の温度を所定温度、即ち日常生活をするに快適な温度に対応した所定温度として例えば２４℃を維持するように制御され、遠赤外線を遠赤外線共鳴プレート１４に向けて放射する。遠赤外線発生パネル１２の温度は、温度コントローラー８４によって調整可能である。
【００３４】
図２は、本考案による波動空間生成装置の他の実施形態を示す図である。遠赤外線発生パネル１２と遠赤外線共鳴プレート１４を室内の内壁に取り付けて壁及び天井と一体的に構成している。遠赤外線共鳴プレート１４は、図２のように、遠赤外線発生パネル１２以外の面を全面的に覆うことができるが、遠赤外線発生パネル１２の対面の壁だけとした部分的な配設でもよい。
【００３５】
図３は、波動空間生成装置に使用される遠赤外線発生パネルの実施形態を示したである。図３（Ａ）は、遠赤外線発生パネル１２Ａの構造を説明するための平面図、図３（Ｂ）は、遠赤外線発生パネル１２Ａの断面図である。
【００３６】
図３（Ａ）において、枠体２２の内側に、アルミニウム板２４−１に循環パイプ２６を重ねている図である。より詳しくは、循環パイプ２６はアルミニウム板２４−１に接して、枠体２２の内部で屈曲させながら並列させ、枠体２２の内部を均一に通るように配置される。循環パイプ２６は、枠体２２内を縦横に走らせた支持部材２８に固定して配設される。この状態から、図３（Ｂ）で示すように、さらにアルミニウム板２４−２を重ねて遠赤外線発生パネル２０としている。アルミニウム板２４−１、２４―２は、循環パイプ２６を挟んだ外側に、遠赤外線放射物質を含む塗料が焼付け塗装されて、遠赤外線放射皮膜２９−１、２９−２を形成している。
【００３７】
遠赤外線放射物質としては、少なくとも４〜１２μｍの波長帯の電磁波を発生する物質を使用する。４〜１２μｍの波長帯の電磁波は育成光線とも呼ばれ、人間を始めとする動植物に最適な人体共鳴吸収領域となる波長帯である。実施形態における遠赤外線放射物質としては、人体共鳴吸収領域となる波長帯遠赤外線の波長帯４〜１２μｍで放射率が９０％以上となる角閃石（波動石）を原料として使用し、粉砕して粉末とし、焼付け用の塗料に混入している。
【００３８】
焼付け塗装用の材料としては、アクリル樹脂系やシリコン樹脂系があり、塗装皮膜は２０〜５０μｍ程度の厚さである。このため、角閃石を数μｍのオーダで微粉末として、樹脂に約１０〜２０ｗｔ％混入させた。
【００３９】
パネル面にアルミニウム製の基材を使用したのは、循環パイプ２６からの熱伝導率を効率よく行うためであり、アルミニウムの熱伝導率は２２９Ｗ／（ｍ・ｋ）と高い熱伝導効率を有するからである。この高熱伝導率を利用して、アルミニウム板２４−１、２４−２表面の温度を循環する液体温度への立ち上がりを素早く行わせるようにしている。そして、アルミニウム板２４−１、２４−２表面に形成されている角閃石入りの皮膜を均一の温度として遠赤外線放射を効率よく行わせる。
【００４０】
製作した遠赤外線発生パネル１２Ａの大きさは、縦８００ｍｍ、横１８００の四角形であり、厚さは６０ｍｍであるが、設置環境により自由に変えられ、四角形の形状である必要も無い。
【００４１】
ここで、本考案の実施例で遠赤外線放射物質の原料として使用する波動石（角閃石）について説明する。
【００４２】
波動石（角閃石）は花崗斑岩であり、花崗岩と同じ化学成分の完晶質の岩石であり、長石・石英・雲母などが比較的大きな斑晶を示し、斑晶とはガラス質または細粒の結晶からなる石基の中に散在する大きな結晶のことで、火山岩にしばしばみられる。
【００４３】
このような花崗斑岩としては、岩手県遠野地方で産出される角閃石が有名である。角閃石は、直閃石・透閃石・陽起石・普通角閃石・藍閃石などの総称として使われるほか、普通角閃石を指すこともあり、カルシウム・マグネシウム・アルミニウムなどを含む複雑なケイ酸塩鉱物で単斜晶系であり、暗灰緑色ないし灰褐色で、柱状を呈し、結晶がある特定の方向に沿って割れたり、はがれたりすることで、平滑な面を現す現象である劈開（へきかい）が発達している造岩鉱物として知られている。
【００４４】
波動石（角閃石）の遠赤外線放射率は、波長４．５μｍで９２％、波長１０μｍで９７．５％、波長１４μｍで９５％の測定結果が得られている。波動数値は、ＱＭＳ測定で２９６０００であった。これは、水（上水道）が５５００であることからも、極めて高い波動数値を有していることがわかる。このように波動石（角閃石）は遠赤外線放射率が高いことから波動石とも呼ばれている。
【００４５】
マイナスイオン効果は、波動石（角閃石）入りの塗料では２６であった。一般の塗料は１であったのに対して、マイナスイオン効果も大きいといえる。
【００４６】
抗菌力試験は、大腸菌群数が、２００／ミリリットルに対して、波動石（角閃石）を入れて２４時間後の値は、３／ミリリットルとなった。また、農薬のメソミルを濃度１０ｍｇ／リットルとして波動石（角閃石）の粉末を５ｗｔ％加えて１時間振とうした時のメソミル除去率は９２％であった。さらに消臭率を検査したところ、アンモニアが６７％、軟化水素が７１％であるとの結果を得た。この結果から、波動石（角閃石）が安全で衛生的であることが実証されている。
【００４７】
図４は、波動空間生成装置に使用される遠赤外線発生パネルの他の実施形態を示した説明図である。本実施形態の遠赤外線発生パネル１２Ｂは、枠体２２内をコンクリート３２で埋め、その中に循環パイプ２６を屈曲させて均一に通した構造である。図４（Ａ）は、遠赤外線発生パネル１２Ｂの構造を説明するための平面図、図４（Ｂ）は、遠赤外線発生パネル１２Ｂの断面図である。循環パイプ２６がコンクリート３２に埋入されており、コンクリート３２を蓄熱材として利用している。コンクリート３２には、遠赤外線放射物質としての角閃石が含まれている。コンクリート３２は、熱伝導率が０．９とＷ／（ｍ・ｋ）と低く、循環パイプ２６で循環している媒体液温度まで立ち上がる時間は遅いが蓄熱作用により、省エネが可能である。
【００４８】
コンクリート３２は、セメントと波動石（角閃石）の砂と波動石（角閃石）の粉石を水で混練している。それぞれの成分の調合は、細骨材率を６０％、水セメント比を６０％とした場合の単位体積当たりの各成分の重量（Ｋｇ／ｍ3）は、コンクリートが３３３Ｋｇ／ｍ3、水が２００Ｋｇ／ｍ3、波動石（角閃石）の砂が１０７２Ｋｇ／ｍ3、波動石（角閃石）の砕石が７６５Ｋｇ／ｍ3としている。なお、密度は、セメントが３．１６、波動石（角閃石）の砂が２．５７、波動石（角閃石）の砕石が２．７５であり、水は１である。
【００４９】
図５は、さらに他の遠赤外線発生パネルの実施形態を示した説明図である。本実施形態の遠赤外線発生パネル１２Ｃは、枠体２２内をモルタルとしたことを特徴とする。図５（Ａ）は、遠赤外線発生パネル１２Ｃの構造を説明するための平面図、図５（Ｂ）は、遠赤外線発生パネル１２Ｃの断面図である。図４に示した遠赤外線発生パネル１２Ｂに対して、循環パイプ２６を枠体２２内に支持部材２８で固定して配設するのは同一であるが、支持部材２８で固定して配設した循環パイプ２６の両面をワイヤーメッシュ４２−１、４２−２で挟んでいる。そして、このワイヤーメッシュ４２−１、４２−２に遠赤外線放射物質入りモルタル４４を付着させて遠赤外線を放射するパネル面としている。
【００５０】
遠赤外線放射物質としては、波動石（角閃石）を原料にしている。この場合にモルタルとしての使用材料は、セメントと角閃石の砂と角閃石の粉石と水であり、細骨材率を７０％、水セメント比を６０％として、各成分の単位体積当たりの重量（Ｋｇ／ｍ3）は、コンクリートが３５８、水が２１５、角閃石の砂が１２０８、角閃石の砕石が５５５としている。
【００５１】
ワイヤーメッシュ４２−１、４２−２の使用は、材料が金属のため熱伝導率が良く、パネル面の温度均一化の効果も生ずる。
【００５２】
なお、図４に示した遠赤外線発生パネル１２Ｂに使用するコンクリート材と、図５に示した遠赤外線発生パネル１２Ｃに使用するモルタル材それぞれの配合は一例であり、砂及び砕石として波動石（角閃石）を始めとする遠赤外線放射率の高い遠赤外線高放射率岩石を使用することを条件に、適宜の配合割合を必要に応じて決めることができる。
【００５３】
遠赤外線発生パネル１２から放射された遠赤外線は、空間に放射されて共鳴現象により波動空間を形成する。そのために、遠赤外線共鳴プレート１４を設置する必要がある。
【００５４】
図６は、波動空間生成装置に使用される遠赤外線共鳴プレートの実施形態を示した説明図である。本実施形態の遠赤外線共鳴プレート１４Ａはアルミニウム板５２の表面に、波動石（角閃石）の粉末を塗料とともに焼付け塗装して赤外線共鳴皮膜５４を形成する。
【００５５】
図７は、さらに他の遠赤外線共鳴プレートの実施形態を示した説明図である。本実施形態の遠赤外線共鳴プレート１４Ｂは、枠体６２に波動石（角閃石）を原料とする遠赤外線放射物質を含むコンクリート６４を埋めて構成し、コンクリート６４に混合された遠赤外線放射物質により、遠赤外線発生パネル１２で放射された遠赤外線と共鳴効果を生じる。
【００５６】
図８は、波動空間生成装置に使用される遠赤外線共鳴プレートの、さらに他の実施形態を示した説明図である。本実施形態の遠赤外線共鳴プレート１４Ｃは、枠体６２内にワイヤーメッシュ６６を張り、波動石（角閃石）を原料とする遠赤外線放射物質混入モルタル６４を付着させた構造ある。遠赤外線放射物質混入モルタル６４に混合された波動石（角閃石）を原料とする遠赤外線放射物質により、遠赤外線発生パネル１２で放射された遠赤外線と共鳴効果を生じる。
【００５７】
以上説明した遠赤外線共鳴プレート１４を単独で構成し、遠赤外線発生パネル１２と対に組み合わせて配設すれば、簡易に波動空間を形成できる。
【００５８】
本考案は、４〜１２μｍの波長帯における遠赤外線の波動空間を生成することを目的としており、熱移動による冷暖房装置ではないので、熱移動効果の大きい同一分子間での熱放射現象を利用するための限定は必要としない。従って、遠赤外線共鳴プレート１４表面に形成する遠赤外線放射物質の混合材料は、遠赤外線発生パネル１２表面に形成する遠赤外線放射物質の混合材料と、材質や含有量が同一である必要は無く、それぞれの遠赤外線放射物質と混合される材料との適切な調合割合でよい。
【００５９】
また、本考案は、遠赤外線発生パネル１２から放射された遠赤外線が共鳴する現象を利用した波動空間生成装置であり、遠赤外線共鳴プレート１４として、壁面の漆喰に遠赤外線放射物質としての波動石（角閃石）の粉末を混合したり、天井面の木材に角閃石の微粉末を混合した塗料、例えば二スを塗装したりして部屋の内壁面を利用した遠赤外線共鳴プレート１４としてもよい。波動空間では４〜１２μｍの波長が共鳴すればよいから、遠赤外線発生パネル１２表面の材料と異なってもかまわず、波動石（角閃石）の含有量は漆喰やニス等の材料にあわせて調合することができる。
【００６０】
また、遠赤外線共鳴プレート１４は和紙に波動石（角閃石）を原料とする遠赤外線放射物質を含んだ塗料を塗った構成でもよく、この場合は壁面や家具類の表面に自在に取り付けることができる。
【００６１】
図９は、図１に示した温度コントロールユニット７０の概略図である。図９において、温度コントロールユニット７０は、温度制御用ポンプ７２、液槽７４、供給パイプ７６、還流パイプ７８、ポンプ用パイプ８０、制御盤８２から成っている。パイプ内を循環する媒体液は不凍液を使用している。なお、不凍液に代えてオイルや水を使用しても良い。
【００６２】
温度制御用ポンプ７２は、ポンプ用パイプ８０を介して液槽７４からくみ上げられた不凍液の温度を制御し、加圧して供給パイプ７６に流し込む。供給パイプ７６は図１に示した遠赤外線発生パネル１２の循環パイプ２６に連結している。
【００６３】
制御盤８２は図１の赤外線発生パネル１２に設けた温度センサ（図示せず）と温度コントローラ８４に設けた温度設定器（図示せず）による設定温度とを入力し、検出温度が設定温度より低くければ温度制御用ポンプ７２をオンして液を還流することによりパネル温度を上昇させ、一方、検出温度が設定温度より高ければ温度制御用ポンプ７２をオフして液の還流を停止してパネル温度を下降させ、遠赤外線発生パネル１２の温度を設定温度に保つように制御する。
【００６４】
温度コントローラ８４は例えば１８〜２８℃の範囲で温度を設定することができ、例えば人間にとって快適な２４℃を設定温度とすることが望ましい。
【００６５】
この場合、遠赤外線発生パネル１２の温度は、ある時間遅れをもって設定温度に制御されるが、室内の温度は、そのときの外気温と遠赤外線発生パネル１２の温度等により決まる温度にバランスし、夏場であれば設定温度２４℃より高めとなり、冬場であれば設定温度２４℃より低目となる。
【００６６】
なお、温度センサは遠赤外線発生パネル１２に直接設けずに、その近傍に設置しても良いし、温度コントローラ８４に内蔵しても良い。このようにすれば、室内温度を遠赤外線発生パネル１２の温度により近づけることが可能となる。
【００６７】
図１０は、温度コントロールユニットの他の実施形態を示した説明図であり、家の屋根８６に設置した太陽光温水装置８７により、太陽熱で暖めた不凍液を供給するようにしたことを特徴とする。図１０において、太陽光温水装置８７で温められた不凍液は、温水パイプ８８を介して液槽７４に供給される。特に冬季の寒いときには、不凍液の温度が下がり、一定温度にするためには長時間の稼動を必要とするが、太陽熱で温められた不凍液を温度コントロールユニット７０の液槽７４に取り入れることで、温度制御用ポンプ７２において所定の温度に制御するエネルギー負担が軽くなり、省力化効果を生ずることになる。
【００６８】
以上本考案による波動空間生成装置１０の実施例を説明したが、その機能的な面について、遠赤外線発生パネルから発生した電磁波の共鳴について概念的に示した図１１により説明する。
【００６９】
図１１において、温度コントロールユニット７０により一定温度にコントロールされた遠赤外線発生パネル１２から放射された電磁波９０-１は、遠赤外線共鳴パネル１４−１に吸収される。遠赤外線共鳴パネル１４−１では波動石（角閃石）を原料とする遠赤外線放射物質を含み、波長が４〜１２μｍ帯での放射率が９０％以上と高放射率であり、遠赤外線共鳴パネル１４−１の波動石（角閃石）を原料とする遠赤外線物質から電磁波が再放射される。これが共鳴現象であり、再放射された電磁波は遠赤外線共鳴パネル１４−３に放射され、同様に共鳴現象により電磁波が再放射される。
【００７０】
さらに放射された電磁波が遠赤外線発生パネル１２に放射される。また、図１１における他の電磁波９０−２、９０−３についても、遠赤外線共鳴プレート１４−１、１４−２、１４−３、１４−４、１４−５との共鳴現象で放射されている。
【００７１】
このように、放射された電磁波が、発生源である遠赤外線発生パネル１２と遠赤外線共鳴プレート１４−１，１４−２，１４−３，１４−４，１４−５と共鳴現象を生ずることにより、遠赤外線発生パネル１２と遠赤外線共鳴プレート１４−１，１４−２，１４−３，１４−４，１４−５とで囲まれた空間は、波動エネルギーの存在する波動空間となっている。
【００７２】
なお、本考案による波動空間生成装置は図１０に示したように、日常的に、角波動石（角閃石）を原料とする遠赤外線放射物質を利用して遠赤外線が効率良く放射されて遠赤外線エネルギーが高密度に存在する波動空間を形成することを意図しており、室内の温度調整を直接的に意図するものではないことから、例えば、本考案の波動空間生成装置を設置した部屋に冬場であれば必要に応じて暖房器具を設置して暖房しても良く、また夏場であれば冷房機器を設置して冷房を行うようにしても良い。
【００７３】
また本考案は上記の実施形態に限定さとれず、本考案は、その目的と利点を損なうことのない適宜の変形を含み、上記の実施形態に示した数値による限定は受けない。
【符号の説明】
【００７４】
１０：波動空間生成装置
１２、１２Ａ〜１２Ｃ：遠赤外線発生パネル
１４、１４Ａ〜１４Ｃ、１４−１、１４−２、１４−３、１４−４、１４−５：遠赤外線共鳴プレート
２２、６２：枠体
２４−１、２４−２：アルミニウム板
２６：循環パイプ
２８：支持部材
２９−１、２９−２：遠赤外線放射皮膜
３２：コンクリート
４２−１、４２−２、６６：ワイヤーメッシュ
４４：遠赤外線放射物質入りモルタル
４６：波動石薄板
５２：アルミニウム板
５４：赤外線共鳴皮膜
６４：遠赤外線放射物質混入モルタル
７０：温度コントロールユニット
７２：温度制御用ポンプ
７４：液槽
７６：供給パイプ
７８：還流パイプ
８０：ポンプ用パイプ
８２：制御盤
８４：温度コントローラー
８６：屋根
８７：太陽光温水装置
８８：温水パイプ
９０−１、９０−２、９０−３：電磁波
【図１】
0003163747.tif 000003
【図２】
0003163747.tif 000004
【図３】
0003163747.tif 000005
【図４】
0003163747.tif 000006
【図５】
0003163747.tif 000007
【図６】
0003163747.tif 000008
【図７】
0003163747.tif 000009
【図８】
0003163747.tif 000010
【図９】
0003163747.tif 000011
【図１０】
0003163747.tif 000012
【図１１】
0003163747.tif 000013